(57)【要約】【課題】通紙性能を十分にかつ適切に確保することが可能な画像形成装置及び警告報知方法を提供する。【解決手段】用紙に画像を形成する画像形成部２５を備える画像形成装置１において、電源起動時に、給紙トレイに用紙が格納されている場合に、用紙取り除き警告を報知部（操作表示部２６）に報知させる制御部２１を備える。例えば、制御部２１は、電源がオフにされていた時間が、予め設定された第１基準時間以上の場合に、用紙取り除き警告を報知部に報知させる。【選択図】図２
2020097467.tif 000002
【特許請求の範囲】
【請求項１】
用紙に画像を形成する画像形成部を備える画像形成装置において、
電源起動時に、給紙トレイに前記用紙が格納されている場合に、用紙取り除き警告を報知部に報知させる制御部を備えることを特徴とする画像形成装置。
【請求項２】
前記制御部は、電源がオフにされていた時間が、予め設定された第１基準時間以上の場合に、前記用紙取り除き警告を前記報知部に報知させることを特徴とする請求項１に記載の画像形成装置。
【請求項３】
前記制御部は、前記給紙トレイに前記用紙を積載してからの経過時間が、予め設定された第１基準時間以上の場合に、前記用紙取り除き警告を前記報知部に報知させることを特徴とする請求項１又は２に記載の画像形成装置。
【請求項４】
前記制御部は、電源起動時の定着温度が、予め設定された基準温度以下の場合に、前記用紙取り除き警告を前記報知部に報知させることを特徴とする請求項１〜３のいずれか一項に記載の画像形成装置。
【請求項５】
前記制御部は、湿度が予め設定された第１基準湿度以上である時間の合計が、予め設定された第２基準時間以上の場合に、前記用紙取り除き警告を前記報知部に報知させることを特徴とする請求項１〜４のいずれか一項に記載の画像形成装置。
【請求項６】
前記制御部は、湿度が予め設定された第２基準湿度以下である時間の合計が、予め設定された第３基準時間以上の場合に、前記用紙取り除き警告を前記報知部に報知させることを特徴とする請求項１〜５のいずれか一項に記載の画像形成装置。
【請求項７】
前記用紙に加湿する加湿部を備え、
前記制御部は、前記加湿部による加湿に係る設定機能をユーザーに報知するための画面を前記報知部に報知させることを特徴とする請求項６に記載の画像形成装置。
【請求項８】
前記用紙に加湿する加湿部を備え、
前記制御部は、前記加湿部による加湿に係る設定を自動設定することを特徴とする請求項６に記載の画像形成装置。
【請求項９】
前記用紙のカールを調整するカール調整部を備え、
前記制御部は、前記カール調整部によるカール調整に係る設定機能をユーザーに報知するための画面を前記報知部に報知させることを特徴とする請求項６〜８のいずれか一項に記載の画像形成装置。
【請求項１０】
前記用紙のカールを調整するカール調整部を備え、
前記制御部は、前記カール調整部によるカール調整に係る設定を自動設定することを特徴とする請求項６〜８のいずれか一項に記載の画像形成装置。
【請求項１１】
前記報知部による前記用紙取り除き警告の報知を行うか否か、並びに、前記用紙取り除き警告の報知を行う場合の基準となる基準時間、基準湿度及び基準温度は、ユーザーにより設定可能であることを特徴とする請求項１〜１０のいずれか一項に記載の画像形成装置。
【請求項１２】
前記報知部による前記用紙取り除き警告の報知を行うか否か、並びに、前記用紙取り除き警告の報知を行う場合の基準となる基準時間、基準湿度及び基準温度は、前記給紙トレイごとに設定可能であることを特徴とする請求項１１に記載の画像形成装置。
【請求項１３】
前記制御部は、前記報知部による前記用紙取り除き警告の報知を行う場合、前記用紙取り除き警告の対象である前記給紙トレイのリフトアップを禁止することを特徴とする請求項１〜１２のいずれか一項に記載の画像形成装置。
【請求項１４】
前記制御部は、同一日の２回目以降の電源起動時には、前記報知部による前記用紙取り除き警告の報知を行わせないことを特徴とする請求項１〜１３のいずれか一項に記載の画像形成装置。
【請求項１５】
前記制御部は、サービスモード、ジャム、サービスコール又はエラーの状態で電源オフ及び電源オンされた場合には、前記報知部による前記用紙取り除き警告の報知を行わせないことを特徴とする請求項１〜１４のいずれか一項に記載の画像形成装置。
【請求項１６】
前記制御部は、翌日継続ジョブの場合には、前記報知部による前記用紙取り除き警告の報知を行わせないことを特徴とする請求項１〜１５のいずれか一項に記載の画像形成装置。
【請求項１７】
前記制御部は、電源オフ及び電源オンの前後で用紙サイズが変わっていた場合には、前記報知部による前記用紙取り除き警告の報知を行わせないことを特徴とする請求項１〜１６のいずれか一項に記載の画像形成装置。
【請求項１８】
用紙に画像を形成する画像形成部を備える画像形成装置の警告報知方法において、
電源起動時に、給紙トレイに前記用紙が格納されている場合に、用紙取り除き警告を報知部に報知させる制御工程を含む警告報知方法。
【発明の詳細な説明】
【技術分野】
【０００１】
本発明は、画像形成装置及び警告報知方法に関する。
【背景技術】
【０００２】
従来、感光体上に形成された静電潜像をトナーで現像してトナー像を形成し、形成されたトナー像を用紙に転写し、転写されたトナー像を加熱定着することで、用紙上に画像を形成する電子写真方式の画像形成装置が知られている。
上記の画像形成装置においては、給紙部に複数の給紙トレイを配置し、その給紙トレイにサイズの異なる用紙等を収納して、原稿のサイズや縮拡率等に対応するサイズの用紙を給紙する機構を設けている。
【０００３】
ところで、給紙トレイに積載されている用紙は、積載されている時間（例えば長時間）や環境（例えば高湿や低湿）によっては、吸湿やカール等のダメージを受けることがあるため、通紙性能に影響を及ぼすことがある。
そこで、本体電源を切断（シャットダウン）する時に、シート残量に基づいて、シャットダウンによりいずれかのシート積載手段からシートを取り出しできない状態に遷移することを操作部の表示部に警告表示することで、取り出されないシートが長時間シート積載装置に放置されてしまうことを防止する構成が開示されている（例えば、特許文献１参照）
【先行技術文献】
【特許文献】
【０００４】
【特許文献１】特開２０１３−１５５０３９号公報
【発明の概要】
【発明が解決しようとする課題】
【０００５】
しかしながら、上記特許文献１記載の技術は、電源切断により用紙が取り出せなくなるのを防止することを目的として、電源切断時に用紙を取り除くものであるため、用紙を入れ替えた直後に電源を切断し、時間を空けることなく電源起動するケースのように、必ずしも用紙を取り除く必要がないケースであっても、用紙が取り除かれてしまうという課題がある。
【０００６】
本発明は、通紙性能を十分にかつ適切に確保することが可能な画像形成装置及び警告報知方法を提供することを目的とする。
【課題を解決するための手段】
【０００７】
請求項１に記載の発明は、上記目的を達成するためになされたものであり、
画像形成装置において、
用紙に画像を形成する画像形成部を備える画像形成装置において、
電源起動時に、給紙トレイに前記用紙が格納されている場合に、用紙取り除き警告を報知部に報知させる制御部を備えることを特徴とする。
【０００８】
請求項２に記載の発明は、請求項１に記載の画像形成装置において、
前記制御部は、電源がオフにされていた時間が、予め設定された第１基準時間以上の場合に、前記用紙取り除き警告を前記報知部に報知させることを特徴とする。
【０００９】
請求項３に記載の発明は、請求項１又は２に記載の画像形成装置において、
前記制御部は、前記給紙トレイに前記用紙を積載してからの経過時間が、予め設定された第１基準時間以上の場合に、前記用紙取り除き警告を前記報知部に報知させることを特徴とする。
【００１０】
請求項４に記載の発明は、請求項１〜３のいずれか一項に記載の画像形成装置において、
前記制御部は、電源起動時の定着温度が、予め設定された基準温度以下の場合に、前記用紙取り除き警告を前記報知部に報知させることを特徴とする。
【００１１】
請求項５に記載の発明は、請求項１〜４のいずれか一項に記載の画像形成装置において、
前記制御部は、湿度が予め設定された第１基準湿度以上である時間の合計が、予め設定された第２基準時間以上の場合に、前記用紙取り除き警告を前記報知部に報知させることを特徴とする。
【００１２】
請求項６に記載の発明は、請求項１〜５のいずれか一項に記載の画像形成装置において、
前記制御部は、湿度が予め設定された第２基準湿度以下である時間の合計が、予め設定された第３基準時間以上の場合に、前記用紙取り除き警告を前記報知部に報知させることを特徴とする。
【００１３】
請求項７に記載の発明は、請求項６に記載の画像形成装置において、
前記用紙に加湿する加湿部を備え、
前記制御部は、前記加湿部による加湿に係る設定機能をユーザーに報知するための画面を前記報知部に報知させることを特徴とする。
【００１４】
請求項８に記載の発明は、請求項６に記載の画像形成装置において、
前記用紙に加湿する加湿部を備え、
前記制御部は、前記加湿部による加湿に係る設定を自動設定することを特徴とする。
【００１５】
請求項９に記載の発明は、請求項６〜８のいずれか一項に記載の画像形成装置において、
前記用紙のカールを調整するカール調整部を備え、
前記制御部は、前記カール調整部によるカール調整に係る設定機能をユーザーに報知するための画面を前記報知部に報知させることを特徴とする。
【００１６】
請求項１０に記載の発明は、請求項６〜８のいずれか一項に記載の画像形成装置において、
前記用紙のカールを調整するカール調整部を備え、
前記制御部は、前記カール調整部によるカール調整に係る設定を自動設定することを特徴とする。
【００１７】
請求項１１に記載の発明は、請求項１〜１０のいずれか一項に記載の画像形成装置において、
前記報知部による前記用紙取り除き警告の報知を行うか否か、並びに、前記用紙取り除き警告の報知を行う場合の基準となる基準時間、基準湿度及び基準温度は、ユーザーにより設定可能であることを特徴とする。
【００１８】
請求項１２に記載の発明は、請求項１１に記載の画像形成装置において、
前記報知部による前記用紙取り除き警告の報知を行うか否か、並びに、前記用紙取り除き警告の報知を行う場合の基準となる基準時間、基準湿度及び基準温度は、前記給紙トレイごとに設定可能であることを特徴とする。
【００１９】
請求項１３に記載の発明は、請求項１〜１２のいずれか一項に記載の画像形成装置において、
前記制御部は、前記報知部による前記用紙取り除き警告の報知を行う場合、前記用紙取り除き警告の対象である前記給紙トレイのリフトアップを禁止することを特徴とする。
【００２０】
請求項１４に記載の発明は、請求項１〜１３のいずれか一項に記載の画像形成装置において、
前記制御部は、同一日の２回目以降の電源起動時には、前記報知部による前記用紙取り除き警告の報知を行わせないことを特徴とする。
【００２１】
請求項１５に記載の発明は、請求項１〜１４のいずれか一項に記載の画像形成装置において、
前記制御部は、サービスモード、ジャム、サービスコール又はエラーの状態で電源オフ及び電源オンされた場合には、前記報知部による前記用紙取り除き警告の報知を行わせないことを特徴とする。
【００２２】
請求項１６に記載の発明は、請求項１〜１５のいずれか一項に記載の画像形成装置において、
前記制御部は、翌日継続ジョブの場合には、前記報知部による前記用紙取り除き警告の報知を行わせないことを特徴とする。
【００２３】
請求項１７に記載の発明は、請求項１〜１６のいずれか一項に記載の画像形成装置において、
前記制御部は、電源オフ及び電源オンの前後で用紙サイズが変わっていた場合には、前記報知部による前記用紙取り除き警告の報知を行わせないことを特徴とする。
【００２４】
請求項１８に記載の発明は、
用紙に画像を形成する画像形成部を備える画像形成装置の警告報知方法において、
電源起動時に、給紙トレイに前記用紙が格納されている場合に、用紙取り除き警告を報知部に報知させる制御工程を含む。
【発明の効果】
【００２５】
本発明によれば、通紙性能を十分にかつ適切に確保することができる。
【図面の簡単な説明】
【００２６】
【図１】本実施形態に係る画像形成装置の概略構成を示す図である。
【図２】本実施形態に係る画像形成装置の制御構造を示す機能ブロック図である。
【図３】本実施形態に係る画像形成装置の動作の一例を示すフローチャートである。
【図４】用紙取り除き警告を操作表示部に表示させた様子の一例を示す図である。
【図５】変形例１に係る画像形成装置の動作の一例を示すフローチャートである。
【図６】変形例２に係る画像形成装置の動作の一例を示すフローチャートである。
【図７】加湿設定／カール調整報知画面を操作表示部に表示させた様子の一例を示す図である。
【図８】加湿設定／カール調整画面を操作表示部に表示させた様子の一例を示す図である。
【図９】変形例３に係る画像形成装置の動作の一例を示すフローチャートである。
【発明を実施するための形態】
【００２７】
以下、本発明の実施の形態について、図面を参照して詳細に説明する。
【００２８】
［１．構成の説明］
本実施形態に係る画像形成装置１は、図１に示すように、給紙装置（ＰＦＵ）１０と、画像形成装置本体２０と、後処理装置（フィニッシャー）３０と、を備えて構成されている。画像形成装置１は、用紙搬送方向に沿って、給紙装置１０、画像形成装置本体２０、後処理装置３０が直列に接続された構成となっている。
【００２９】
給紙装置１０は、ＰＦＵ（Paper Feed Unit）と称されるものであり、複数の給紙トレイＴＲ３〜ＴＲ５や、給紙ローラー、分離ローラー、給紙／分離ゴム、送り出しローラー等からなる給紙手段を備える。各給紙トレイＴＲ３〜ＴＲ５には、用紙の種類（紙種、坪量、用紙サイズ等）ごとに用紙が格納されており、用紙の最上部から一枚ずつ画像形成装置本体２０へと用紙が搬送される。
【００３０】
画像形成装置本体２０は、原稿から画像を読み取って得られた画像データ又は外部装置から受信した画像データに基づいて、電子写真方式により用紙上にカラー画像を形成する。
画像形成装置本体２０は、図２に示すように、制御部２１と、記憶部２２と、画像読取部２３と、画像処理部２４と、画像形成部２５と、操作表示部２６と、温度検知部２７と、湿度検知部２８と、加湿・カール調整部２９と、給紙トレイＴＲ１、ＴＲ２と、を備えて構成されている。
【００３１】
制御部２１は、ＣＰＵ、ＲＡＭ、ＲＯＭ等を備えて構成される。ＣＰＵは、ＲＯＭに記憶されている各種プログラムをＲＡＭに展開し、ＲＡＭに展開した各種プログラムとの協働により、画像形成装置１の動作を統括的に制御する。
【００３２】
記憶部２２は、プログラムや画像データ等の各種データを記憶するＨＤＤ（Hard Disk Drive）、半導体メモリー等の不揮発性の記憶装置である。記憶部２２には、プログラムデータや各種設定データ等のデータを制御部２１から読み書き可能に記憶する。
【００３３】
画像読取部２３は、ＣＣＤ（Charge Coupled Device）により構成される光学系部材と、原稿送り装置と、を備えて構成されている。画像読取部２３は、原稿送り装置によりプラテンガラス上に送られた原稿の画像を光学系部材で読み取り、読み取った画像から画像データを生成する。
【００３４】
画像処理部２４は、アナログデジタル（Ａ／Ｄ）変換処理を行う回路及びデジタル画像処理を行う回路等を備えて構成されている。
画像処理部２４は、画像読取部２３からのアナログ画像信号にＡ／Ｄ変換処理を施すことによりデジタル画像データ（ＲＧＢ信号）を生成する。また、画像処理部２４は、このデジタル画像データに、色変換処理、初期設定又はユーザー設定に応じた補正処理（シェーディング補正等）、及び圧縮処理等を施す。これらの処理が施されたデジタル画像データ（ＹＭＣＫ信号）に基づいて、画像形成部２５が制御される。
【００３５】
画像形成部２５は、画像処理部２４から受け取った電気信号又は外部装置からネットワーク経由で受け取った印刷ジョブに基づいて、給紙トレイＴＲ１、ＴＲ２や給紙装置１０の給紙トレイＴＲ３〜ＴＲ５から供給された用紙上に画像を形成し、印刷物を作成する。画像形成部２５は、帯電された感光体に形成される静電潜像が現像されてトナー像となり、中間転写ベルト上で各色のトナー像が重ね合わされてから用紙に転写される、いわゆる電子写真方式の画像形成部である。
【００３６】
操作表示部（報知部）２６は、ＬＣＤ（Liquid Crystal Display）又は有機ＥＬディスプレイを備え、ディスプレイ上には、透明電極を格子状に配置した感圧式（抵抗膜圧式）のタッチパネルを備えて構成される。
操作表示部２６は、制御部２１から入力される表示制御信号に従って、各種設定画面、各種ボタン、各機能の動作状況等の表示を行う。操作表示部２６は、画面上に表示されたボタンが手指やタッチペン等で押下された場合、押下された力点のＸＹ座標を電圧値で検出し、検出された位置に対応付けられた操作信号を制御部２１に出力する。なお、タッチパネルは感圧式に限らず、例えば静電式や光式等であってもよい。また、操作表示部２６は、表示画面外に各種ハードキーを備え、ハードキーが押下された場合、押下されたキーに対応付けられた操作信号を制御部２１に出力する。ユーザーは、操作表示部２６を操作して、画質設定、倍率設定、応用設定、出力設定及び用紙設定等の画像形成に関する設定、用紙搬送指示、並びに、装置の起動、停止操作などを行うことができる。
【００３７】
温度検知部２７は、画像形成装置本体２０内に設けられた温度計（図示省略）により検知された装置内の温度を取得する。
【００３８】
湿度検知部２８は、画像形成装置本体２０内に設けられた湿度計（図示省略）により検知された装置内の湿度を取得する。
【００３９】
加湿・カール調整部２９は、用紙に加湿する加湿機能と、用紙の変形（カール）を矯正し、用紙面を平面化するカール調整機能と、を有する。すなわち、加湿・カール調整部２９は、本発明の加湿部及びカール調整部として機能する。
【００４０】
給紙トレイＴＲ１、ＴＲ２は、画像形成部２５に用紙を供給する。各給紙トレイＴＲ１、ＴＲ２には、給紙トレイごとに予め定められた紙種やサイズの用紙が収納されている。
【００４１】
後処理装置３０は、画像形成装置本体２０から搬送された用紙を後処理して排紙する。後処理としては、例えばステイプル処理、パンチ穴開け処理、折り処理、製本処理等が挙げられる。後処理は必須ではなく、画像形成装置本体２０から指示された場合のみ後処理を実行する。後処理装置３０は、後処理を行わない場合、搬送された用紙をそのまま排紙する。
【００４２】
［２．動作の説明］
次に、本実施形態に係る画像形成装置１の動作について、図３のフローチャートを参照して説明する。
【００４３】
まず、制御部２１は、自装置（画像形成装置１）の電源がオンにされたか否かを判定する（ステップＳ１０１）。
制御部２１は、自装置の電源がオンにされたと判定した場合（ステップＳ１０１：ＹＥＳ）、次のステップＳ１０２へと移行する。
一方、制御部２１は、自装置の電源がオンにされていないと判定した場合（ステップＳ１０１：ＮＯ）、自装置の電源がオンにされるまでステップＳ１０１の処理を繰り返す。
【００４４】
次に、制御部２１は、給紙トレイ（画像形成装置本体２０の給紙トレイＴＲ１、ＴＲ２、給紙装置１０の給紙トレイＴＲ３〜ＴＲ５）に用紙が格納されているか否かを判定する（ステップＳ１０２）。
制御部２１は、給紙トレイに用紙が格納されていると判定した場合（ステップＳ１０２：ＹＥＳ）、次のステップＳ１０３へと移行する。
一方、制御部２１は、給紙トレイに用紙が格納されていないと判定した場合（ステップＳ１０２：ＮＯ）、用紙を取り除く必要がないと判断し、処理を終了する。
【００４５】
次に、制御部２１は、用紙取り除き警告（給紙トレイに格納されている用紙を取り除くようユーザーに促すための警告）を操作表示部２６に表示させる（ステップＳ１０３）。
図４に、用紙取り除き警告を操作表示部２６に表示させた様子の一例を示す。図４に示す例では、「給紙トレイ１（給紙トレイＴＲ１）に積載された用紙を取り除いて下さい。」との文言（警告）が表示されており、ユーザーに警告内容を報知することができるようになっている。
【００４６】
［３．効果］
以上のように、本実施形態に係る画像形成装置１は、電源起動時に、給紙トレイに用紙が格納されている場合に、用紙取り除き警告を報知部（操作表示部２６）に報知させる制御部２１を備える。
したがって、本実施形態に係る画像形成装置１によれば、給紙トレイに長時間放置された用紙が通紙されることを防止することができるので、通紙性能を十分に確保することができる。また、電源起動時に、放置された用紙を取り除くよう報知することができるので、通紙時に用紙の（最新の）状態を判断することが可能となり、通紙性能を適切に確保することができる。よって、通紙性能を十分にかつ適切に確保することができる。
【００４７】
以上、本発明に係る実施形態に基づいて具体的に説明したが、本発明は上記実施形態に限定されるものではなく、その要旨を逸脱しない範囲で変更可能である。
【００４８】
（変形例１）
図５に、画像形成装置１の動作の変形例（変形例１）を示す。なお、変形例１では、用紙取り除き警告の対象となる給紙トレイとして、給紙トレイ１（給紙トレイＴＲ１）を例示して説明する。
【００４９】
まず、制御部２１は、自装置の電源がオンにされたか否かを判定する（ステップＳ２０１）。
制御部２１は、自装置の電源がオンにされたと判定した場合（ステップＳ２０１：ＹＥＳ）、次のステップＳ２０２へと移行する。
一方、制御部２１は、自装置の電源がオンにされていないと判定した場合（ステップＳ２０１：ＮＯ）、自装置の電源がオンにされるまでステップＳ２０１の処理を繰り返す。
【００５０】
次に、制御部２１は、給紙トレイ１に対し、用紙取り除き警告を操作表示部２６に表示させる警告表示モードが設定されているか否かを判定する（ステップＳ２０２）。なお、各給紙トレイに対し、警告表示モードを設定するか否か（警告表示を行うか行わないか）は、ユーザーにより任意に選択することができる。
制御部２１は、給紙トレイ１に警告表示モードが設定されていると判定した場合（ステップＳ２０２：ＹＥＳ）、次のステップＳ２０３へと移行する。
一方、制御部２１は、給紙トレイ１に警告表示モードが設定されていないと判定した場合（ステップＳ２０２：ＮＯ）、給紙トレイ１から用紙を取り除く必要がないと判断し、処理を終了する。
【００５１】
次に、制御部２１は、給紙トレイ１に用紙が格納されているか否かを判定する（ステップＳ２０３）。
制御部２１は、給紙トレイ１に用紙が格納されていると判定した場合（ステップＳ２０３：ＹＥＳ）、次のステップＳ２０４へと移行する。
一方、制御部２１は、給紙トレイ１に用紙が格納されていないと判定した場合（ステップＳ２０３：ＮＯ）、給紙トレイ１から用紙を取り除く必要がないと判断し、処理を終了する。
【００５２】
次に、制御部２１は、警告表示条件（用紙取り除き警告を操作表示部２６に表示させる条件）が成立したか否かを判定する（ステップＳ２０４）。
【００５３】
ここで、警告表示条件の一例は、電源オフ時間（電源がオフにされていた時間）が予め設定された第１基準時間Ｔ１以上であること（電源オフ時間≧Ｔ１）である。第１基準時間Ｔ１は、用紙に吸湿やカール等のダメージが生じる程度の時間のことであり、ユーザーにより任意に設定することができる。
【００５４】
また、警告表示条件の他の例は、給紙トレイ１に用紙を積載してからの経過時間が予め設定された第１基準時間Ｔ１以上であること（用紙の積載時間≧Ｔ１）である。
【００５５】
また、警告表示条件の他の例は、電源起動時の定着温度（定着センサー（図示省略）により検知された定着部（図示省略）の温度）が予め設定された基準温度Ｆ１以下であること（定着温度≦Ｆ１）である。基準温度Ｆ１は、用紙に吸湿やカール等のダメージが生じる程度の時間が経過したことが予想される温度のことであり、ユーザーにより任意に設定することができる。この基準温度Ｆ１は、上記の第１基準時間Ｔ１に代えて、用いることができる。
【００５６】
また、警告表示条件の他の例は、湿度が予め設定された第１基準湿度Ｈ１以上である時間の合計が、予め設定された第２基準時間Ｔ２以上であること（「（湿度≧Ｈ１）の合計時間」≧Ｔ２）である。第１基準湿度Ｈ１は、用紙に吸湿やカール等のダメージを生じさせるおそれのある湿度のことであり、ユーザーにより任意に設定することができる。第２基準時間Ｔ２は、用紙に吸湿やカール等のダメージが生じる程度の時間のことであり、ユーザーにより任意に設定することができる。
【００５７】
また、警告表示条件の他の例は、湿度が予め設定された第２基準湿度Ｈ２以下である時間の合計が、予め設定された第３基準時間Ｔ３以上であること（「（湿度≦Ｈ２）の合計時間」≧Ｔ３）である。第２基準湿度Ｈ２は、用紙に静電気やカール等のダメージを生じさせるおそれのある湿度のことであり、ユーザーにより任意に設定することができる。第３基準時間Ｔ３は、用紙に静電気やカール等のダメージが生じる程度の時間のことであり、ユーザーにより任意に設定することができる。
【００５８】
また、警告表示条件の他の例は、同一日の２回目以降の電源起動時（電源オン時）ではないことである。
【００５９】
また、警告表示条件の他の例は、サービスモード（設定の変更を行うためのモード）、ジャム、サービスコール（故障発生、部品交換等によりサービスマンを呼び出すこと）、エラー（通紙は可能であるが画像の調整不良の状態）等の状態で電源オフ及び電源オンされた場合ではないことである。
【００６０】
また、警告表示条件の他の例は、翌日継続ジョブ（翌日も継続するジョブ）ではないことである。
【００６１】
また、警告表示条件の他の例は、電源オフ及び電源オンの前後で用紙サイズが変わっていない（すなわち、用紙が入れ替えられていない）ことである。
【００６２】
なお、上記のように、警告表示モードを設定するか否か（操作表示部２６による用紙取り除き警告の表示を行うか否か）、並びに、用紙取り除き警告の表示を行う場合の基準（閾値）となる基準時間Ｔ１〜Ｔ３、基準湿度Ｈ１、Ｈ２及び基準温度Ｆ１は、ユーザーにより任意に設定することができる。
【００６３】
また、警告表示モードを設定するか否か、並びに、用紙取り除き警告の表示を行う場合の基準となる基準時間Ｔ１〜Ｔ３、基準湿度Ｈ１、Ｈ２及び基準温度Ｆ１は、給紙トレイ（画像形成装置本体２０の給紙トレイＴＲ１、ＴＲ２、給紙装置１０の給紙トレイＴＲ３〜ＴＲ５）ごとに任意に設定することができる。
【００６４】
ステップＳ２０４において、制御部２１は、警告表示条件が成立したと判定した場合（ステップＳ２０４：ＹＥＳ）、次のステップＳ２０５へと移行する。
一方、制御部２１は、警告表示条件が成立していないと判定した場合（ステップＳ２０４：ＮＯ）、給紙トレイ１から用紙を取り除く必要がないと判断し、処理を終了する。
【００６５】
次に、制御部２１は、給紙トレイ１を対象とする用紙取り除き警告（給紙トレイ１に格納されている用紙を取り除くようユーザーに促すための警告）を操作表示部２６に表示させる（ステップＳ２０５）。
【００６６】
次に、制御部２１は、用紙取り除き警告の対象である給紙トレイ１のリフトアップを禁止する（ステップＳ２０６）。
【００６７】
以上のように、変形例１に係る画像形成装置１によれば、制御部２１は、電源がオフにされていた時間が、予め設定された第１基準時間以上の場合に、用紙取り除き警告を報知部に報知させる。
したがって、変形例１に係る画像形成装置１によれば、給紙トレイに長時間放置された用紙が通紙されることを確実に防止することができるので、通紙性能を十分に確保することができる。また、給紙トレイに長時間放置されていない用紙を不必要に取り除くことがないので、用紙交換に掛かる手間を省略することができる。
【００６８】
また、変形例１に係る画像形成装置１によれば、制御部２１は、給紙トレイに用紙を積載してからの経過時間が、予め設定された第１基準時間以上の場合に、用紙取り除き警告を報知部に報知させる。
したがって、変形例１に係る画像形成装置１によれば、給紙トレイに長時間放置された用紙が通紙されることを確実に防止することができるので、通紙性能を十分に確保することができる。また、給紙トレイに長時間放置されていない用紙を不必要に取り除くことがないので、用紙交換に掛かる手間を省略することができる。
【００６９】
また、変形例１に係る画像形成装置１によれば、制御部２１は、電源起動時の定着温度が、予め設定された基準温度以下の場合に、用紙取り除き警告を報知部に報知させる。
したがって、変形例１に係る画像形成装置１によれば、給紙トレイに長時間放置された用紙が通紙されることを確実に防止することができるので、通紙性能を十分に確保することができる。また、給紙トレイに長時間放置されていない用紙を不必要に取り除くことがないので、用紙交換に掛かる手間を省略することができる。
【００７０】
また、変形例１に係る画像形成装置１によれば、制御部２１は、湿度が予め設定された第１基準湿度以上である時間の合計が、予め設定された第２基準時間以上の場合に、用紙取り除き警告を報知部に報知させる。
したがって、変形例１に係る画像形成装置１によれば、給紙トレイに高湿環境で長時間放置されて吸湿した用紙が通紙されることを確実に防止することができるので、通紙性能を十分に確保することができる。
【００７１】
また、変形例１に係る画像形成装置１によれば、制御部２１は、湿度が予め設定された第２基準湿度以下である時間の合計が、予め設定された第３基準時間以上の場合に、用紙取り除き警告を報知部に報知させる。
したがって、変形例１に係る画像形成装置１によれば、給紙トレイに低湿環境で長時間放置されて静電気やカールが発生した用紙が通紙されることを確実に防止することができるので、通紙性能を十分に確保することができる。
【００７２】
また、変形例１に係る画像形成装置１によれば、制御部２１は、同一日の２回目以降の電源起動時には、報知部による用紙取り除き警告の報知を行わせない。
したがって、変形例１に係る画像形成装置１によれば、給紙トレイに長時間放置されていない用紙を不必要に取り除くことがないので、用紙交換に掛かる手間を省略することができる。
【００７３】
また、変形例１に係る画像形成装置１によれば、制御部２１は、サービスモード、ジャム、サービスコール又はエラーの状態で電源オフ及び電源オンされた場合には、報知部による用紙取り除き警告の報知を行わせない。
したがって、変形例１に係る画像形成装置１によれば、通紙が行われない状態のときに用紙を不必要に取り除くことがないので、用紙交換に掛かる手間を省略することができる。
【００７４】
また、変形例１に係る画像形成装置１によれば、制御部２１は、翌日継続ジョブの場合には、報知部による用紙取り除き警告の報知を行わせない。
したがって、変形例１に係る画像形成装置１によれば、翌日まで継続するジョブの場合に用紙を入れ替えることにより生じる不都合を回避することができるので、翌日継続ジョブの生産性を落とすことなく、通紙性能を確保することができる。
【００７５】
また、変形例１に係る画像形成装置１によれば、制御部２１は、電源オフ及び電源オンの前後で用紙サイズが変わっていた場合には、報知部による用紙取り除き警告の報知を行わせない。
したがって、変形例１に係る画像形成装置１によれば、給紙トレイに長時間放置されていない用紙を不必要に取り除くことがないので、用紙交換に掛かる手間を省略することができる。
【００７６】
また、変形例１に係る画像形成装置１によれば、報知部による用紙取り除き警告の報知を行うか否か、並びに、用紙取り除き警告の報知を行う場合の基準となる基準時間、基準湿度及び基準温度は、ユーザーにより設定可能である。
したがって、変形例１に係る画像形成装置１によれば、ユーザーの事情に応じて基準を設定することができるので、通紙性能と印刷作業の生産性とをバランスよく両立させることができる。
【００７７】
また、変形例１に係る画像形成装置１によれば、報知部による用紙取り除き警告の報知を行うか否か、並びに、用紙取り除き警告の報知を行う場合の基準となる基準時間、基準湿度及び基準温度は、給紙トレイごとに設定可能である。
したがって、変形例１に係る画像形成装置１によれば、給紙トレイごとに基準を設定することができるので、用紙の種類やサイズを考慮して適切な基準を設定することが可能となり、通紙性能をより適切に確保することができる。
【００７８】
また、変形例１に係る画像形成装置１によれば、制御部２１は、報知部による用紙取り除き警告の報知を行う場合、用紙取り除き警告の対象である給紙トレイのリフトアップを禁止する。
したがって、変形例１に係る画像形成装置１によれば、給紙トレイを不必要にリフトアップさせることがなくなるので、リフトアップに掛かる時間や電力消費を低減することができる。
【００７９】
（変形例２）
図６に、画像形成装置１の動作の変形例（変形例２）を示す。なお、変形例２では、用紙取り除き警告の対象となる給紙トレイとして、給紙トレイ１（給紙トレイＴＲ１）を例示して説明する。
【００８０】
まず、ステップＳ３０１〜ステップＳ３０３の処理は、図５のステップＳ２０１〜ステップＳ２０３の処理と同様であるので、説明を省略する。
【００８１】
次に、制御部２１は、湿度が第２基準湿度Ｈ２以下である時間の合計が、第３基準時間Ｔ３以上（「（湿度≦Ｈ２）の合計時間」≧Ｔ３）であるか否かを判定する（ステップＳ３０４）。
制御部２１は、湿度が第２基準湿度Ｈ２以下である時間の合計が、第３基準時間Ｔ３以上であると判定した場合（ステップＳ３０４：ＹＥＳ）、次のステップＳ３０５へと移行する。
一方、制御部２１は、湿度が第２基準湿度Ｈ２以下である時間の合計が、第３基準時間Ｔ３以上でないと判定した場合（ステップＳ３０４：ＮＯ）、給紙トレイ１から用紙を取り除く必要がないと判断し、処理を終了する。
【００８２】
次に、制御部２１は、加湿設定／カール調整報知画面（加湿・カール調整部２９による加湿に係る設定機能及びカール調整に係る設定機能をユーザーに報知するための画面）を操作表示部２６に表示させる（ステップＳ３０５）。
図７に、加湿設定／カール調整報知画面を操作表示部２６に表示させた様子の一例を示す。また、図８に、加湿設定／カール調整画面（ユーザーが実際に加湿設定及びカール調整を行う画面）を操作表示部２６に表示させた様子の一例を示す。図７に示す例では、「給紙トレイ１（給紙トレイＴＲ１）に積載された用紙に加湿及びカール調整を実施して下さい。」との文言が表示されており、ユーザーに加湿設定／カール調整機能を報知することができるようになっている。
【００８３】
以上のように、変形例２に係る画像形成装置１は、用紙に加湿する加湿部（加湿・カール調整部２９）を備える。また、制御部２１は、加湿部による加湿に係る設定機能をユーザーに報知するための画面を報知部に報知させる。
したがって、変形例２に係る画像形成装置１によれば、給紙トレイに低湿環境で長時間放置された用紙に対して、加湿設定を手動で実施させることができるので、静電気やカールが発生した用紙が通紙されることを防止することが可能となり、通紙性能を十分に確保することができる。
【００８４】
また、変形例２に係る画像形成装置１は、用紙のカールを調整するカール調整部（加湿・カール調整部２９）を備える。また、制御部２１は、カール調整部によるカール調整に係る設定機能をユーザーに報知するための画面を報知部に報知させる。
したがって、変形例２に係る画像形成装置１によれば、給紙トレイに低湿環境で長時間放置された用紙に対して、カール調整を手動で実施させることができるので、静電気やカールが発生した用紙が通紙されることを防止することが可能となり、通紙性能を十分に確保することができる。
【００８５】
（変形例３）
図９に、画像形成装置１の動作の変形例（変形例３）を示す。なお、変形例３では、用紙取り除き警告の対象となる給紙トレイとして、給紙トレイ１（給紙トレイＴＲ１）を例示して説明する。
【００８６】
まず、ステップＳ４０１〜ステップＳ４０４の処理は、図６のステップＳ３０１〜ステップＳ３０４の処理と同様であるので、説明を省略する。
【００８７】
次に、制御部２１は、加湿設定（加湿・カール調整部２９による加湿に係る設定）を自動設定する（ステップＳ４０５）。なお、加湿設定に限らず、加湿・カール調整部２９によるカール調整に係る設定を自動設定するようにしてもよい。
【００８８】
以上のように、変形例３に係る画像形成装置１は、用紙に加湿する加湿部（加湿・カール調整部２９）を備える。また、制御部２１は、加湿部による加湿に係る設定を自動設定する。
したがって、変形例３に係る画像形成装置１によれば、給紙トレイに低湿環境で長時間放置された用紙に対して、加湿設定を自動で実施させることができるので、静電気やカールが発生した用紙が通紙されることを防止することが可能となり、通紙性能を十分に確保することができる。
【００８９】
また、変形例３に係る画像形成装置１によれば、用紙のカールを調整するカール調整部（加湿・カール調整部２９）を備える。また、制御部２１は、カール調整部によるカール調整に係る設定を自動設定する。
したがって、変形例３に係る画像形成装置１によれば、給紙トレイに低湿環境で長時間放置された用紙に対して、カール調整を自動で実施させることができるので、静電気やカールが発生した用紙が通紙されることを防止することが可能となり、通紙性能を十分に確保することができる。
【００９０】
（その他の変形例）
また、上記実施形態では、本発明の報知部として、操作表示部２６を例示して説明しているが、これに限定されるものではない。例えば、音声を出力可能なスピーカー等を備えるようにし、各種画面（用紙取り除き警告（図４参照）、加湿設定／カール調整報知画面（図７参照）、加湿設定／カール調整画面（図８参照）等）を操作表示部２６に表示させる代わりに、スピーカーから音声出力させるようにしてもよい。或いは、操作表示部２６に表示させると同時に、スピーカーから音声出力させるようにしてもよい。
【００９１】
また、警告表示モードを設定するか否か、並びに、用紙取り除き警告の表示を行う場合の基準となる基準時間Ｔ１〜Ｔ３、基準湿度Ｈ１、Ｈ２及び基準温度Ｆ１は、用紙種類ごとに任意に設定できるようにしてもよい。
【００９２】
その他、画像形成装置を構成する各装置の細部構成及び各装置の細部動作に関しても、本発明の趣旨を逸脱することのない範囲で適宜変更可能である。
【符号の説明】
【００９３】
１  画像形成装置
１０  給紙装置
ＴＲ３〜ＴＲ５  給紙トレイ
２０  画像形成装置本体
２１  制御部
２２  記憶部
２３  画像読取部
２４  画像処理部
２５  画像形成部
２６  操作表示部（報知部）
２７  温度検知部
２８  湿度検知部
２９  加湿・カール調整部（加湿部、カール調整部）
ＴＲ１、ＴＲ２  給紙トレイ
３０  後処理装置
【図１】
2020097467.tif 000003
【図２】
2020097467.tif 000004
【図３】
2020097467.tif 000005
【図４】
2020097467.tif 000006
【図５】
2020097467.tif 000007
【図６】
2020097467.tif 000008
【図７】
2020097467.tif 000009
【図８】
2020097467.tif 000010
【図９】
2020097467.tif 000011